(57)【要約】【課題】  特定の状況下において、ユーザに画面の輝度変化を認識させないようにすることができる撮像装置、撮像装置の制御方法、プログラムを提供する。【解決手段】  撮像手段と、撮像手段により得られた画像に基づく画像データを記録媒体に記録する記録手段と、画像を表示する表示手段と、周囲環境の明るさに関する情報を検出する検出手段と、検出結果に応じて表示手段の明るさを制御する制御手段とを有し、制御手段は、撮像手段により得られた画像に基づく画像データを記録媒体に記録している間、検出結果に応じた表示手段の明るさの制御を停止させる。【選択図】  図３
2014204167.tif 000002
【特許請求の範囲】
【請求項１】
撮像装置であって、
撮像手段と、
前記撮像手段により得られた画像に基づく画像データを記録媒体に記録する記録手段と、
画像を表示する表示手段と、
前記撮像装置の周囲環境の明るさに関する情報を検出する検出手段と、
前記検出手段の検出結果に応じて前記表示手段の明るさを制御する制御手段とを有し、
前記制御手段は、前記撮像手段により得られた画像に基づく画像データを記録媒体に記録している間、前記検出手段の検出結果に応じた前記表示手段の明るさの制御を停止させることを特徴とする撮像装置。
【請求項２】
撮像装置であって、
撮像手段と、
前記撮像手段により得られた画像に基づく画像データを記録媒体に記録する記録手段と、
画像を表示する表示手段と、
前記撮像装置の周囲環境の明るさに関する情報を検出する検出手段と、
前記検出手段の検出結果に応じて前記表示手段の明るさを制御する制御手段とを有し、
前記制御手段は、前記撮像手段により得られた画像に基づく画像データを前記記録媒体から再生している間、前記検出手段の検出結果に応じた前記表示手段の明るさの制御を停止させることを特徴とする撮像装置。
【請求項３】
前記表示手段は有機ＥＬ表示デバイスであることを特徴とする請求項１または２に記載の撮像装置。
【請求項４】
前記制御手段は、前記検出手段の検出結果に応じて、前記表示手段の表示モードを切り替えることを特徴とする請求項１から３のいずれか１項に記載の撮像装置。
【請求項５】
前記制御手段は、前記検出手段の検出結果に応じて、前記表示手段の映像信号に対する表示輝度の特性を切り替えることを特徴とする請求項１から３のいずれか１項に記載の撮像装置。
【請求項６】
前記制御手段は、前記撮像手段により得られた画像に基づく画像データの記録が終了したことに応じて、前記検出手段の検出結果に応じた前記表示手段の明るさの制御を開始することを特徴とする請求項１に記載の撮像装置。
【請求項７】
前記制御手段は、前記撮像手段により得られた画像に基づく画像データの記録が終了してから所定時間したことに応じて、前記検出手段の検出結果に応じた前記表示手段の明るさの制御を開始することを特徴とする請求項１に記載の撮像装置。
【請求項８】
前記制御手段は、前記撮像手段により得られた画像に基づく画像データの記録が終了した後、前記撮像装置が操作されたことに応じて、前記検出手段の検出結果に応じた前記表示手段の明るさの制御を開始することを特徴とする請求項１に記載の撮像装置。
【請求項９】
撮像手段と、前記撮像手段により得られた画像に基づく画像データを記録媒体に記録する記録手段と、画像を表示する表示手段と、を有する撮像装置の制御方法であって、
前記撮像装置の周囲環境の明るさに関する情報に応じて前記表示手段の明るさを制御する制御工程を有し、
前記制御工程において、前記撮像手段により得られた画像に基づく画像データを記録媒体に記録している間、前記撮像装置の周囲環境の明るさに関する情報に応じて前記表示手段の明るさに応じた前記表示手段の明るさの制御を停止させることを特徴とする撮像装置の制御方法。
【請求項１０】
請求項９記載の制御方法を、コンピュータに実行させるためのプログラム。
【発明の詳細な説明】
【技術分野】
【０００１】
本発明は、撮像装置、撮像装置の制御方法、プログラムに関する。
【背景技術】
【０００２】
従来、撮像装置として、液晶パネルを搭載したデジタルカメラ、携帯電話等が知られている。これらの撮像装置においては、周囲環境の明るさを、液晶パネルに備えられた照度センサ等を用いて計測し、計測結果に基づいて、液晶パネルのバックライトの明るさを制御するものがあった（たとえば、特許文献１）。
【先行技術文献】
【特許文献】
【０００３】
【特許文献１】特開２００６−１７１６２０号公報
【発明の概要】
【発明が解決しようとする課題】
【０００４】
しかしながら、たとえば、有機ＥＬのような表示輝度毎に必要な電圧、電流が異なり、表示輝度を切り替えるために、入力映像信号に対して表示のための電圧、電流を示すテーブルを切り替える方式では、テーブル切り替えの際に、ユーザに画面の輝度変化が認識されてしまうという問題がある。また、他にもたとえば液晶のバックライトの制御段数が少ない場合にも、制御の切り替えの際に、ユーザに画面の輝度変化が認識されてしまうこともある。
【０００５】
そこで、本発明は、特定の状況下において、ユーザに画面の輝度変化を認識させないようにすることができる撮像装置、撮像装置の制御方法、プログラムを提供することを目的とする。
【課題を解決するための手段】
【０００６】
このような目的を達成するために、本発明の撮像装置は、撮像手段と、前記撮像手段により得られた画像に基づく画像データを記録媒体に記録する記録手段と、画像を表示する表示手段と、前記撮像装置の周囲環境の明るさに関する情報を検出する検出手段と、前記検出手段の検出結果に応じて前記表示手段の明るさを制御する制御手段とを有し、前記制御手段は、前記撮像手段により得られた画像に基づく画像データを記録媒体に記録している間、前記検出手段の検出結果に応じた前記表示手段の明るさの制御を停止させることを特徴とする。
【発明の効果】
【０００７】
本発明によれば、特定の状況下において、ユーザに画面の輝度変化を認識させないようにすることができる。
【図面の簡単な説明】
【０００８】
【図１】本実施例の撮像装置の構成を示す図である。
【図２】本実施例の撮像装置の外観斜視図である。
【図３】本実施例の撮像装置の動作を示すフロー図である。
【発明を実施するための形態】
【０００９】
以下、図面を参照して本発明の実施例を詳細に説明するが、この発明は以下の実施の形態に限定されない。なお、以下の実施の形態は特許請求の範囲に係る発明を限定するものでなく、また実施の形態で説明されている特徴の組み合わせの全てが発明の解決手段に必須のものとは限らない。
【００１０】
なお、本実施例において説明される各機能ブロックは必ずしも個別のハードウェアである必要はない。すなわち、例えばいくつかの機能ブロックの機能は、１つのハードウェアにより実行されても良い。また、いくつかのハードウェアの連係動作により１つの機能ブロックの機能または、複数の機能ブロックの機能が実行されても良い。また、各機能ブロックの機能は、ＣＰＵがメモリ上に展開したコンピュータプログラムにより実行されても良い。
【実施例１】
【００１１】
本実施例では、撮像装置を例にとって説明するが、撮像部を有し、撮像した画像に基づく画像データを記録媒体に記録することができ、撮像した画像に基づく画像を表示する表示部を有していればどのような装置でも良い。たとえば、携帯電話、スマートフォン、タブレット型情報端末、ノート型情報端末、等であってもよい。
【００１２】
本実施例の撮像装置は、撮像部、記録部、表示部、検出部、制御部を有する。撮像部は、レンズにより取得された被写体の光学像を光電変換して得られたアナログ画像信号をデジタル画像信号に変換する。そして、画像処理部は、撮像部により得られたデジタル画像信号に画像処理、画像圧縮等を施し、表示用のデジタル画像信号を表示用メモリに送信し、記録用の画像データについては記録用メモリに送信する。記録部は、記録用メモリに記録された画像データに所定のヘッダ等を付加し記録媒体に記録する。一方、表示部は、表示用メモリに記録されたデジタル画像信号に基づく画像を表示する。検出部は、撮像装置の周囲の明るさに関する情報として、たとえば輝度を検出し、表示部を制御する制御部に送信する。制御部は、検出結果に応じて、表示部の明るさを制御する。ここで、制御部は、撮像部により撮像した画像に基づく画像データを記録媒体に記録している間、検出結果に応じた表示部の明るさの制御を停止する。また、記録媒体に記録された画像データを再生している間、検出結果に応じた表示部の明るさの制御を停止する。
【００１３】
このような構成とすることで、本実施例の撮像装置は、特定の状況下において、輝度の落差をユーザに認識させないようにすることができる。
【００１４】
以下、このような撮像装置について説明する。
【００１５】
＜全体構成＞
まず、図１を用いて、本実施例の撮像装置１００の構成を説明する。
【００１６】
本実施例の撮像装置１００は、図１に示すように、ＣＰＵ１０１と、ＲＡＭ１０２と、ＲＯＭ１０３と、操作部１０４とを有する。また、撮像装置１００は、撮像部１１０と、画像処理部１１１と、マイクユニット１２０と、音声処理部１２１と、スピーカユニット１２２とを有する。また、撮像装置１００は、符号化復号化処理部１３０と、表示部１４０と、表示制御部１４１と、記録再生部１５０と、記録媒体１５１と、通信部１６０と、照度センサ１７０とを有する。
【００１７】
なお、ＣＰＵは、Ｃｅｎｔｒａｌ  Ｐｒｏｃｅｓｓｉｎｇ  Ｕｎｉｔの略称である。ＲＡＭは、Ｒａｎｄｏｍ  Ａｃｃｅｓｓ  Ｍｅｍｏｒｙの略称である。ＲＯＭは、Ｒｅａｄ  Ｏｎｌｙ  Ｍｅｍｏｒｙの略称である。
【００１８】
本実施例の撮像装置１００において、ＣＰＵ１０１は、ＲＡＭ１０２をワークメモリとしてＲＯＭ１０３に記録された各種プログラムをＲＡＭ１０２に展開し、プログラムに応じて撮像装置１００の各ブロックを制御する。操作部１０４は、例えば、電源ボタン、記録ボタン、ズーム調整ボタン、オートフォーカスボタン、メニュー表示ボタン、モード切替スイッチ、決定ボタン等の各種操作を入力するスイッチ類を有する。また、カーソルキー、ポインティングデバイス、タッチパネル、ダイヤル等のどのようなタイプの操作子であってもよい。操作部１０４は、ユーザによりこれらのキーやボタン、タッチパネルが操作されるとＣＰＵ１０１に操作信号を送信する。操作部１０４の各操作部材は、表示部に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部に表示される。利用者は、表示部に表示されたメニュー画面と、上下左右の４方向ボタンやＳＥＴボタンとを用いて直感的に各種設定を行うことができる。なお、操作部１０４は、表示部に対する接触を検知可能なタッチパネルであってもよい。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００１９】
撮像部１１０は、レンズにより取り込まれた被写体の光学像を、絞りにより光量を制御して、ＣＣＤセンサやＣＭＯＳセンサ等の撮像素子により画像信号に変換し、得られたアナログ画像信号をデジタル画像信号に変換して一時的にＲＡＭ１０２に記憶する。ＲＡＭ１０２に記憶されたデジタル画像信号は、その後、画像処理部１１１に送信される。画像処理部１１１は、デジタル画像信号のホワイトバランスや色、明るさなどをユーザに設定された設定値や画像の特性から自動的に判定した設定値に基づいて調整する画質調整処理を行い、処理をしたデジタル画像信号を再びＲＡＭ１０２に記憶する。また、画質調整処理済みまたは未処理のデジタル画像信号を、後述の表示制御部１４１に送信し、表示部１４０に撮像中の画像として表示することもできる。また、再生時においては、画像処理部１１１は、記録媒体１５１から記録再生部１５０によって読出され、符号化復号化処理部１３０において復号化された静止画ファイルや動画ファイルに含まれる画像データの画質調整等を行う。そして、画質調整済みまたは未処理のデジタル画像信号を、後述の表示制御部１４１に送信し、表示部１４０に画像として表示することもできる。
【００２０】
符号化復号化処理部１３０では、記録時においては、画像処理部１１１により処理されＲＡＭ１０２に記憶されたデジタル画像信号に対して、画像圧縮処理を行い、圧縮された動画データや静止画データを生成し、ＲＡＭ１０２に一時的に記憶する処理を行う。また、再生時においては、記録媒体１５１から読出された画像ファイルの圧縮された動画データや静止画データを復号してデジタル画像信号を抽出し、ＲＡＭ１０２に記憶していく処理を行う。
【００２１】
たとえば、動画データを生成する際は、動画データの各フレームをフレーム内符号化して圧縮符号化された動画データを生成する。また、動画データの複数のフレーム間での差分や動き予測などを利用して圧縮符号化された動画データを生成してもよい。たとえばＭｏｔｉｏｎＪＰＥＧ、ＭＰＥＧ、ＭＰＥＧ２、Ｈ．２６４（ＭＰＥＧ４−Ｐａｒｔ１０  ＡＶＣ）、Ｈ．２６５／ＨＥＶＣ等の様々な公知の圧縮符号化方式の動画データを生成することができる。一般に、フレーム内符号化されたフレーム画像データをＩピクチャと呼び、前方のフレームとの差分を用いてフレーム間符号化された画像データをＰピクチャと呼び、前方後方のフレームとの差分を用いてフレーム間符号化された画像データをＢピクチャと呼ぶ。これらの圧縮方式は、公知の方式を用いており、本発明の特徴とは関係ないので説明を省略する。また、静止画データを生成する際には、ＪＰＥＧ、Ｈ．２６５／ＨＥＶＣの静止画プロファイル等の一般的な圧縮符号化方式を用いるが、これらの圧縮符号化方式は、公知の方式を用いており、本発明の特徴とは関係ないので説明を省略する。なお、静止画データについては、撮像部１１０により得られたデジタル画像信号をそのまま記録する、いわゆるＲＡＷ画像データとしてもよい。
【００２２】
マイクユニット１２０は、たとえば、撮像装置１００のハウジング内に内蔵された無指向性のマイクとＡＤ変換部を有する。マイクユニット１２０では、マイクにより周囲の音声を集音（収音）し、取得したアナログ音声信号をＡＤ変換部で、デジタル信号に変換してＲＡＭ１０２に一時的に記憶させる。ＲＡＭ１０２に記憶されたデジタル音声信号は、その後、音声処理部１２１に送信される。音声処理部１２１では、記録時においては、ＲＡＭ１０２に記憶されたデジタル音声信号の、レベルの適正化処理や雑音低減処理等の処理を行い、処理をしたデジタル音声信号を再びＲＡＭ１０２に記憶する。また、必要に応じて、音声信号を圧縮する処理を行う。音声圧縮方式については、ＡＣ３、ＡＡＣ等の公知の一般的な音声圧縮方式を用いているため説明を省略する。また、再生時においては、記録媒体１５１から記録再生部１５０によって読出された音声ファイルや動画ファイルに含まれる圧縮音声データ復号する処理や音声レベルの適正化処理、なども行い、順次ＲＡＭ１０２に記憶する処理も行う。スピーカユニット１２２は、スピーカとＤＡ変換部とを有する。スピーカユニット１２２では、音声処理部１２１によりＲＡＭ１０２に記憶されたデジタル音声信号を読出してアナログ音声信号に変換し、アナログ音声信号によりスピーカから音声を出力する。
【００２３】
照度センサ１７０は、周囲の環境の明るさを検出するものである。本実施例では、周囲の環境の明るさを検出するために、照度センサを用いたが、明るさに関する情報を検出することができれば、たとえば輝度センサであっても、他のセンサであっても構わない。
【００２４】
表示部１４０は、例えば、液晶表示デバイス、または有機ＥＬ表示デバイスなどからなり、表示制御部１４１の制御により画像を表示する。表示部１４０は、ＬＥＤディスプレイなど、ユーザに画像を提供することができればどのようなものであっても良い。表示制御部１４１では、画像処理部１１１により処理され、ＲＡＭ１０２に記憶されたデジタル画像信号に基づいて、表示部１４０に画像を表示する。また、表示制御部１４１は、表示部１４０に表示するデジタル画像信号に基づく映像信号に対し、マトリクス変換、ブライト調整、コントラスト調整、ガンマ調整、クロマゲイン調整、シャープネス調整等の画像信号処理を行ってもよい。
【００２５】
表示制御部１４１は、照度センサ１７０により検出された周囲環境の明るさ（照度）の情報に基づいて、表示部１４０の表示輝度（明るさ）を制御する。たとえば、照度センサ１７０により検出された周囲環境の明るさ（照度）が第１の所定の閾値よりも大きければ、もっとも明るい第１のモードで画像を表示する。照度センサ１７０により検出された周囲環境の明るさ（照度）が第１の所定の閾値よりも小さく、第２の閾値よりも大きければ、２番目に明るい第２のモードで画像を表示する。照度センサ１７０により検出された周囲環境の明るさ（照度）が、第２の閾値よりも小さければ、３番目に明るい第３のモードで画像を表示する。
【００２６】
表示部１４０が有機ＥＬ表示デバイスである場合、映像信号の画素値−有機ＥＬ表示デバイスにおける表示用の電流／電圧を記載したテーブルを、それぞれのモードに対応して切り替える。
【００２７】
表示部１４０が液晶表示デバイスである場合、バックライト電圧／電流を、それぞれのモードに対応して切り替える。
【００２８】
なお、本実施例では、３段階の表示モードがあるものとして説明をするが、少なくとも２段階以上の表示モードであれば、３段階よりも多い段階の表示モードがあってもよい。
【００２９】
なお、本実施例では、表示制御部１４１が照度センサ１７０により検出された周囲環境の明るさ（照度）の情報に基づいて、表示モードを切り替えるものとして説明する。しかし、たとえばＣＰＵ１０１が、照度センサ１７０により検出された周囲環境の明るさ（照度）の情報に基づいて、表示制御部１４１の表示モードを切り替えてもよい。
【００３０】
記録再生部１５０では、動画記録時においては、ＲＡＭ１０２に記憶されている、符号化復号化処理部１３０により生成された圧縮動画データ及び、音声処理部１２１で生成された音声データ、撮影日等の各種情報とともに、動画ファイルとして記録媒体１５１に書き込む。また静止画記録時においては、ＲＡＭ１０２に記憶されている静止画データを撮影日等の各種情報とともに静止画ファイルとして記録媒体１５１に記録する。動画ファイルを記録媒体１５１に記録する際は、圧縮動画データと音声データとからなるデータストリームを形成し、順次記録媒体１５１に記録していき、ファイルヘッダ等を付加してＦＡＴやｅｘＦＡＴ等のファイルフォーマットに適合した形で動画ファイルを記録媒体に記録する。また、再生時においては、記録媒体１５１に記録された動画ファイルや静止画ファイルを前述のファイルフォーマットに従って読出す。読出された動画ファイルや静止画ファイルは、ＣＰＵ１０１によりヘッダが解析され、圧縮された動画データ、静止画データが抽出される。抽出された圧縮動画データ、静止画データは、ＲＡＭ１０２に記憶されて、符号化復号化処理部１３０により復号される。
【００３１】
また、記録媒体１５１は、撮像装置に内蔵された記録媒体でも、取外し可能な記録媒体でもよい。例えば、ハードディスク、光ディスク、光磁気ディスク、ＣＤ−Ｒ、ＤＶＤ−Ｒ、磁気テープ、不揮発性の半導体メモリ、フラッシュメモリ、などのあらゆる方式の記録媒体を含む。取り外し可能な記録媒体を用いる場合には、記録再生部１５０は、それらの取り外し可能な記録媒体を装着、排出するための機構を含む。
【００３２】
また、通信部１６０は、撮像装置１００とは異なる外部装置との間で、制御信号や動画ファイル、静止画ファイル、各種データ等を送受信するものであり、有線接続、無線接続を問わず接続可能である。なお、通信方式はどのような方式であっても良い。
【００３３】
ここで、前述の画像処理部１１１、音声処理部１２１、符号化復号化処理部１３０、表示し制御部１４１、記録再生部１５０は、それぞれ、前述の各機能を実行するプログラムを搭載したマイクロコンピュータであってもよい。また、ＣＰＵ１０１がＲＯＭ１０３に記録された前述の処理を実行する為のプログラムをＲＡＭ１０２に展開して実行するようにしてもよい。
【００３４】
なお、本実施例の撮像装置１００は、一例として、「ＱｕｉｃｋＴｉｍｅ（登録商標）フォーマット」で動画ファイルを記録するものとするが、どのようなフォーマットであっても良い。
【００３５】
なお、本実施例では記録媒体１５１のファイル管理システムは組み込み機器で一般的に使用されているＦＡＴファイルシステムを使用するものとして説明をする。ＦＡＴファイルシステムの技術自体は広く公知であるので、本実施例の特徴的な動作でのみその説明をする。また、ＦＡＴファイルフォーマットであるＮＴＦＳフォーマットやｅｘＦＡＴフォーマットなどを用いても良い。
【００３６】
図２は、本実施例の撮像装置１００の外観斜視図である。図２に示すように、本実施例の撮像装置１００は、撮像装置１００の本体に対して表示部１４０が可動に取り付けられている。また、少なくとも、表示部１４０の画像を表示する方向の明るさを計測できるように、照度センサ１７０が取り付けられている。
【００３７】
＜基本動作＞
次に、本実施例の撮像装置１００の動作について説明する。
【００３８】
本実施例の撮像装置１００において、ＣＰＵ１０１は、ユーザによって操作部１０４が操作され電源を投入する指示が捜査部１０４から入力されると、不図示の電源供給部を撮像装置１００の各ブロックに電源を供給するように制御する。
【００３９】
次に、ＣＰＵ１０１は、操作部１０４により設定されたカメラのモードが、再生モードであるか、静止画記録モード、動画記録モードであるかを判定する。
【００４０】
まず、動画記録モードについて説明する。
【００４１】
操作部１０４により設定されたカメラのモードが、動画記録モードである場合、ＣＰＵ１０１は、撮像装置１００の各ブロックを制御し、以下の動作を実行させる。
【００４２】
まず、撮像部１１０は、得られたデジタル画像信号をＲＡＭ１０２に送信し、一時的に記憶させる。次に、画像処理部１１１は、設定された撮影設定に従って、ＲＡＭ１０２に記憶されたデジタル画像信号に、前述の各種画質調整処理を行い、処理をしたデジタル画像信号を再びＲＡＭ１０２に記憶する。また、表示制御部１４１は、ＲＡＭ１０２に記憶された処理済みのデジタル画像信号または未処理のデジタル画像信号を読み出して表示部１４０に表示させる。
【００４３】
すなわち、操作部１０４から動画記録開始の指示が入力されるまでは、表示部１４０に撮像部１１０により撮像された画像に基づく画像が表示される。
【００４４】
次に、操作部１０４から動画記録開始の指示が入力されると、撮像部１１０は、得られたデジタル画像信号をＲＡＭ１０２に送信し、一時的に記憶させる。次に、画像処理部１１１は、設定された撮影設定に従って、ＲＡＭ１０２に記憶されたデジタル画像信号に、前述の各種画質調整処理を行い、処理をしたデジタル画像信号を再びＲＡＭ１０２に記憶する。また、表示制御部１４１は、ＲＡＭ１０２に記憶された処理済みのデジタル画像信号または未処理のデジタル画像信号を読み出して表示部１４０に表示させる。さらに、符号化復号化処理部１３０は、画像処理部１１１によって処理されたデジタル画像信号を動画データとして符号化するための符号化処理を行う。例えば、符号化処理としては、ＭｏｔｉｏｎＪＰＥＧ、ＭＰＥＧ、Ｈ．２６４（ＭＰＥＧ４−Ｐａｒｔ１０  ＡＶＣ）、Ｈ．２６５／ＨＥＶＣ等の様々な公知の圧縮符号化方式処理がある。
【００４５】
また、音声処理部１２１は、マイクユニットから入力されたデジタル音声信号に対して種々の調整処理を適用し、処理をしたデジタル音声信号を再びＲＡＭ１０２に記憶する。さらに、必要に応じて、予め設定された音声用の符号化方式に従って符号化処理を実行し、得られた符号化された音声データをＲＡＭ１０２に記憶させる。なお、以後の説明では、音声データについては説明を省略するが、動画データとともに処理されるものとする。
【００４６】
次に、記録再生部１５０は、ＲＡＭ１０２に一時記憶されている符号化済みの動画データを、記録媒体１５１のファイルシステムに適合する動画ファイルとして記録する。また、ＣＰＵ１０１により生成された必要な管理情報を動画ファイルに含めて記録する。
【００４７】
ＣＰＵ１０１は、動画記録終了の指示が入力されるまでは、これら一連の処理を撮像装置１００の各ブロックに実行させる。
【００４８】
次に、操作部１０４から動画記録終了の指示が入力されると、符号化復号化処理部１３０は、記録終了の指示が入力されるまでのデジタル画像信号を符号化し終わるまで動作し、その後動作を終了する。また、記録再生部１５０も、ＲＡＭ１０２に一時記憶されている符号化済みの動画データを記録媒体１５１に記録し終わるまで動作し、その後、動作を終了する。それ以外の撮像部１１０、画像処理部１１１、表示部１４０、表示制御部１４１、は動作を継続する。
【００４９】
以上のように、本実施例の撮像装置１００は、動画記録モードにおいて動画ファイルを記録媒体１５１に記録してゆく。
【００５０】
次に、再生モードについて、説明する。
【００５１】
操作部１０４により再生モードが設定されると、ＣＰＵ１０１は、再生状態に移行させるように制御信号を撮像装置１００の各ブロックに送信し、以下のような動作をさせる。
【００５２】
記録再生部１５０は、記録媒体１５１に記録された、符号化された動画データと符号化された音声データとからなる動画ファイルを読み出す。ＣＰＵ１０１は読み出された符号化された動画データと符号化された音声データとを、ＲＡＭ１０２にバッファする。そして、ＣＰＵ１０１は、符号化された動画データを復号するように符号化復号化処理部１３０を制御する。また、ＣＰＵ１０１は、符号化された音声データを復号するように音声処理部１２１を制御する。
【００５３】
そして、ＣＰＵ１０１は、符号化復号化処理部１３０によって復号された動画データの各フレームデータを表示制御部１４１に送り、表示部１４０に各フレームの画像を表示させる。また、音声処理部１２１で、復号された音声データをスピーカユニット１２２に送信し、音声データに対応する音声を出力させる。
【００５４】
以上のように、本実施例の撮像装置１００は、再生モードにおいて動画ファイルを再生して、動画ファイルの動画データに基づく画像を表示部１４０に表示する。
【００５５】
＜表示モードの制御＞
ここで、本実施例の特徴的な動作について説明する。
【００５６】
図３は、本実施例の撮像装置１００の動画記録モードにおける動作を説明するためのフロー図である。図３のフロー図は、動画記録モードに設定されたときをスタートとするフロー図であり、ＣＰＵ１０１がＲＡＭ１０２に展開したプログラムに基づいて、撮像装置１００の各ブロックを制御することにより、実行される処理である。
【００５７】
ＣＰＵ１０１は、動画記録モードに設定されると、前述したように、表示部１４０に撮像部１１０により得られた画像に基づく画像を表示し、動画データの記録はおこなわない、待機状態で、撮像装置１００の各ブロックを動作させる（Ｓ３０１）。
【００５８】
そして、ＣＰＵ１０１は、照度センサ１７０の検出結果に基づいて、表示部１４０の輝度を変更するように表示制御部１４１を制御する（Ｓ３０２）。前述したように、表示制御部１４１は、たとえば、照度センサ１７０により検出された周囲環境の明るさ（照度）が第１の所定の閾値よりも大きければ、もっとも明るい第１のモードで画像を表示する。照度センサ１７０により検出された周囲環境の明るさ（照度）が第１の所定の閾値よりも小さく、第２の閾値よりも大きければ、２番目に明るい第２のモードで画像を表示する。照度センサ１７０により検出された周囲環境の明るさ（照度）が、第２の閾値よりも小さければ、３番目に明るい第３のモードで画像を表示する。また、ＣＰＵ１０１が、照度センサ１７０により検出された周囲環境の明るさ（照度）の情報に基づいて、表示制御部１４１の表示モードを切り替えてもよい。
【００５９】
次に、ＣＰＵ１０１は、撮影開始の指示が操作部１０４から入力されたか否かを判定する（Ｓ３０３）。判定の結果、撮影開始の指示が入力されていない場合には、Ｓ３０１に処理を移行しＳ３０３までの処理を繰り返す。一方、撮影開始の指示が入力されている場合には（Ｓ３０３でＹｅｓ）、ＣＰＵ１０１は、前述したように、撮像部１１０により得られた画像に基づく動画データを記録媒体に記録するように記録再生部１５０を制御する（Ｓ３０４）。
【００６０】
そして、ＣＰＵ１０１は、照度センサ１７０の検出結果に基づく、表示部１４０の輝度を変更する動作を停止するように表示制御部１４１を制御する（Ｓ３０５）。
【００６１】
次に、ＣＰＵ１０１は、撮影終了の指示が操作部１０４から入力されたか否かを判定する（Ｓ３０６）。判定の結果、撮影開始の指示が入力されていない場合には、Ｓ３０４に処理を移行しＳ３０３までの処理を繰り返す。一方、撮影開始の指示が入力されている場合には（Ｓ３０６でＹｅｓ）、ＣＰＵ１０１は、照度センサ１７０の検出結果に基づく、表示部１４０の輝度を変更する動作を再び開始させる（Ｓ３０７）。
【００６２】
最後に、ＣＰＵ１０１は、動画記録モードから別のモードに撮像装置１００のモードが変更されたか否かを判定し（Ｓ３０８）、動画記録モードが終了していれば処理を終了し、終了していなければ処理をＳ３０１に戻して処理を継続する。
【００６３】
このように、本実施例の撮像装置１００は、動画記録モードが開始され、動画データの記録が開始するまでの間、照度センサ１７０の検出結果に基づく表示部の輝度制御を実行する。そして、動画データの記録が開始したことに応じて、照度センサ１７０の検出結果に基づく表示部の輝度制御を停止させる。
【００６４】
これらの動作によって、本実施例の撮像装置は、動画データの記録中には、周囲の環境の明るさの変化によって、画面の急激な輝度変化が発生しないようにすることができる。そのため、動画データの記録中において、ユーザに画面の輝度変化を認識させないようにすることができる。さらに、周囲環境の明るさに応じた輝度制御を動画データの記録中に行わないので、撮像装置においては、動画データの記録中に表示部の輝度が変化して、意図しない動画撮影が行われているとユーザに誤認される可能性を低減することもできる。
【００６５】
なお、本実施例では、照度センサ１７０の検出結果に基づく、表示部１４０の輝度制御を開始、停止する例について説明したが、これと連動して、照度センサの動作を開始、停止させてもよい。
【００６６】
なお、本実施例では、動画記録の終了の指示に応じて、照度センサの動作を再び開始するものとしたが、少しの時間をおいて連続して撮影が行われる可能性を考慮してもよい。すなわち、動画記録の終了の指示から所定時間、照度センサ１７０の動作を停止させたままとしてもよい。その間、ユーザによる操作部１０４への操作があれば、照度センサ１７０の動作を開始し、また、ユーザによる操作部１０４への操作がなくとも、所定時間経過した後に、照度センサ１７０の動作を開始してもよい。
【００６７】
なお、本実施例では、表示制御部１４１において、周囲環境の明るさに応じて表示モードを切り替える際に、表示部１４０が有機ＥＬ表示デバイスである場合、液晶表示デバイスである場合、それぞれに対応していた。有機ＥＬ表示デバイスである場合、映像信号の画素値−有機ＥＬ表示デバイスにおける表示用の電流／電圧を記載したテーブルを切り替え、液晶表示デバイスである場合、バックライト電圧／電流を切り替え、これにより表示輝度の特性を切り替えていた。しかし、表示部１４０に輝度を調整ためのガンマ調整部が含まれる場合は、ＣＰＵ１０１からの指示により、周囲の明るさに応じて表示部１４０のガンマテーブル（表示輝度の特性）を制御してもよい。
【００６８】
また、本実施例では、動画記録モードにおいて、動画記録開始、終了に連動して、表示部の輝度制御の制御を行ったが再生時に同じようにしてもよい。すなわち、再生モードにおいて、記録媒体に記録された画像データの再生中は表示部の輝度制御の制御を停止させ、再生終了後に表示部の輝度制御を開始させる。また、記録媒体に記録された画像データの一覧画面においては、表示部の輝度制御の制御を実行させ、選択された画像データの再生中は表示部の輝度制御の制御を停止させ、再生終了後に表示部の輝度制御を開始させる。また、動画データの再生中にのみ、表示部の輝度制御の制御を停止させ、再生終了後に表示部の輝度制御を開始させてもよい。
【００６９】
（他の実施形態）
上述の実施形態は、システム或は装置のコンピュータ（或いはＣＰＵ、ＭＰＵ等）によりソフトウェア的に実現することも可能である。従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【００７０】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【００７１】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。つまり、上述の実施形態を実現するためのプログラムファイルをクライアントコンピュータに提供するサーバ装置も本発明の一つである。
【００７２】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。また、上述の実施形態を実現するためのコンピュータプログラムは、すでにコンピュータ上で稼働するＯＳの機能を利用するものであってもよい。さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図１】
2014204167.tif 000003
【図２】
2014204167.tif 000004
【図３】
2014204167.tif 000005